(57)【要約】      （修正有）【課題】コンロ本体の前面パネルに開設した電池ケース用開口を通して前方に引き出し自在な電池ケースを備えるコンロであって、体裁を良好にできる構造を提供する。【解決手段】操作片８２の下面に、爪部８２ａの前側に隣接して当て座８２ｂを形成し、電池ケース８が収納位置に存する状態で電池ケース用開口１４の下縁部１４ｄに当て座８２ｂが当接して、その当接反力で蓋部８１の上縁部８１ａが電池ケース用開口１４の上縁部１４ａに押し付けられるようにする。【選択図】図２
2016200367.tif 000002
【特許請求の範囲】
【請求項１】
コンロ本体の前面パネルの背面に設けた筒状の支持枠に、乾電池を保持する電池ケースが前面パネルに開設した電池ケース用開口を通して前方に引き出し自在に支持された電池ケース付きコンロであって、
電池ケースの前端に、電池ケースが支持枠に押し込まれた収納位置に存する状態で電池ケース用開口を塞ぐ蓋部が設けられ、電池ケース用開口の上縁部は、電池ケースが収納位置に存する状態で蓋部の上縁部に上方から接するように形成され、電池ケースの底壁の前部に、前端を自由端とする上下方向の弾性を持つ操作片が設けられ、この操作片の下面に、電池ケースが収納位置に存する状態で電池ケース用開口の下縁部に形成した後ろ向きの係止部に当該下縁部を乗り越えて係合して、電池ケースを収納位置に係止する爪部が突設され、操作片の前端を押し上げて爪部を係止部から離脱させることにより電池ケースの収納位置での係止が解除されるようにしたものにおいて、
操作片の下面に、爪部の前側に隣接して、電池ケースが収納位置に存する状態で電池ケース用開口の下縁部に弾力的に当接する当て座が形成され、電池ケース用開口の下縁部への当て座の当接反力で蓋部の上縁部が電池ケース用開口の上縁部に押し付けられることを特徴とする電池ケース付きコンロ。
【請求項２】
請求項１記載の電池ケース付きコンロであって、前記前面パネルの横方向一側の隅部に前記電池ケース用開口が開設され、電池ケース用開口の横方向一側の側縁部は、前記電池ケースが収納位置に存する状態で前記蓋部の横方向一側部により前方から覆われるように形成され、電池ケース用開口の横方向他側の側縁部は、電池ケースが収納位置に存する状態で蓋部の横方向他側の側縁部に横方向から接するように形成されるものにおいて、
電池ケースの横方向一側の側壁の前部に、横方向の弾性を持つ弾性片が設けられ、電池ケースが収納位置に存する状態でこの弾性片が前記支持枠の横方向一側の側壁の前部に弾力的に当接し、その当接反力で蓋部の横方向他側の側縁部が電池ケース用開口の横方向他側の側縁部に押し付けられることを特徴とする電池ケース付きコンロ。
【発明の詳細な説明】
【技術分野】
【０００１】
本発明は、コンロ本体の前面パネルの背面に設けた筒状の支持枠に、乾電池を保持する電池ケースが前面パネルに開設した電池ケース用開口を通して前方に引き出し自在に支持された電池ケース付きコンロに関する。
【背景技術】
【０００２】
従来、この種のコンロとして、電池ケースの前端に、電池ケースが支持枠に押し込まれた収納位置に存する状態で電池ケース用開口を塞ぐ蓋部が設けられ、電池ケース用開口の上縁部は、電池ケースが収納位置に存する状態で蓋部の上縁部に上方から接するように形成され、電池ケースの底壁の前部に、前端を自由端とする上下方向の弾性を持つ操作片が設けられ、この操作片の下面に、電池ケースが収納位置に存する状態で電池ケース用開口の下縁部に形成した後ろ向きの係止部に当該下縁部を乗り越えて係合して、電池ケースを収納位置に係止する爪部が突設され、操作片の前端を押し上げて爪部を係止部から離脱させることにより電池ケースの収納位置での係止が解除されるようにしたものが知られている(例えば、特許文献１参照)。
【０００３】
ところで、体裁を良くするには、電池ケースが収納位置に存する状態で、電池ケースの蓋部の上縁部を電池ケース用開口の上縁部に隙間なく密着させることが望まれる。然し、電池ケースは、支持枠に対し摺動クリアランス分のガタを不可避的に生ずる。そして、このガタによって蓋部の上縁部と電池ケース用開口の上縁部との間に隙間を生じてしまい、体裁を損なうことがある。
【先行技術文献】
【特許文献】
【０００４】
【特許文献１】特開２０１１−４７５８８号公報
【発明の概要】
【発明が解決しようとする課題】
【０００５】
本発明は、以上の点に鑑み、電池ケースの蓋部の上縁部を電池ケース用開口の上縁部に隙間なく密着させて、体裁を良好にすることができるようにした電池ケース付きコンロを提供することをその課題としている。
【課題を解決するための手段】
【０００６】
上記課題を解決するために、本発明は、コンロ本体の前面パネルの背面に設けた筒状の支持枠に、乾電池を保持する電池ケースが前面パネルに開設した電池ケース用開口を通して前方に引き出し自在に支持された電池ケース付きコンロであって、電池ケースの前端に、電池ケースが支持枠に押し込まれた収納位置に存する状態で電池ケース用開口を塞ぐ蓋部が設けられ、電池ケース用開口の上縁部は、電池ケースが収納位置に存する状態で蓋部の上縁部に上方から接するように形成され、電池ケースの底壁の前部に、前端を自由端とする上下方向の弾性を持つ操作片が設けられ、この操作片の下面に、電池ケースが収納位置に存する状態で電池ケース用開口の下縁部に形成した後ろ向きの係止部に当該下縁部を乗り越えて係合して、電池ケースを収納位置に係止する爪部が突設され、操作片の前端を押し上げて爪部を係止部から離脱させることにより電池ケースの収納位置での係止が解除されるようにしたものにおいて、操作片の下面に、爪部の前側に隣接して、電池ケースが収納位置に存する状態で電池ケース用開口の下縁部に弾力的に当接する当て座が形成され、電池ケース用開口の下縁部への当て座の当接反力で蓋部の上縁部が電池ケース用開口の上縁部に押し付けられることを特徴とする。
【０００７】
本発明によれば、当て座が電池ケース用開口の下縁部に当接することにより発生する当接反力で蓋部の上縁部が電池ケース用開口の上縁部に押し付けられるため、蓋部の上縁部を電池ケース用開口の上縁部に隙間なく密着させて、体裁を良好にすることができる。更に、当て座は電池ケースを収納位置に係止するための操作片に形成されるため、当て座を形成するための弾性片を電池ケースの底壁に別途設ける必要がなく、合理的である。
【０００８】
また、本発明において、前面パネルの横方向一側の隅部に電池ケース用開口が開設され、電池ケース用開口の横方向一側の側縁部は、電池ケースが収納位置に存する状態で蓋部の横方向一側部により前方から覆われるように形成され、電池ケース用開口の横方向他側の側縁部は、電池ケースが収納位置に存する状態で蓋部の横方向他側の側縁部に横方向から接するように形成される場合には、電池ケースの横方向一側の側壁の前部に、横方向の弾性を持つ弾性片が設けられ、電池ケースが収納位置に存する状態でこの弾性片が支持枠の横方向一側の側壁の前部に弾力的に当接し、その当接反力で蓋部の横方向他側の側縁部が電池ケース用開口部の横方向他側の側縁部に押し付けられることが望ましい。これによれば、蓋部の横方向他側の側縁部を電池ケース用開口の横方向他側の側縁部に隙間なく密着させて、体裁を一層良好にすることができる。
【図面の簡単な説明】
【０００９】
【図１】本発明の実施形態のコンロの斜視図。
【図２】実施形態のコンロの電池ケースを配置した部分の切断側面図。
【図３】実施形態のコンロの電池ケースを引き出した状態の斜視図。
【図４】電池ケースの斜め下方から見た斜視図。
【発明を実施するための形態】
【００１０】
図１を参照して、本発明の実施形態のコンロは、コンロ本体１の上面を覆う天板２上に露出する左右一対のコンロバーナ３，３と、コンロ本体１内に配置したグリル４とを備えている。コンロ本体１の前面には、グリル扉４１の横方向両側に位置する左右一対の前面パネル１１，１２が設けられており、各前面パネル１１，１２に、各コンロバーナ３やグリルバーナ(図示せず)の点消火ボタン５とその下側の表示部６と各種設定スイッチ７とが配置されている。
【００１１】
更に、コンロは、乾電池を保持する電池ケース８を備えている。図２乃至図４を参照して、電池ケース８は、左側の前面パネル１１の背面に設けた前面パネル１１に一体の筒状の支持枠１３に、前面パネル１１に開設した電池ケース用開口１４を通して前方に引き出し自在に支持されている。電池ケース８の前端には、電池ケース８が支持枠１３に押し込まれた収納位置(図１、図２に示す位置)に存する状態で電池ケース用開口１４を塞ぐ蓋部８１が設けられている。
【００１２】
電池ケース用開口１４の上縁部１４ａは、電池ケース８が収納位置に存する状態で蓋部８１の上縁部８１ａに上方から接するように形成されている。また、電池ケース用開口１４は、前面パネル１１の横方向一側（左側）の隅部に開設されている。そして、電池ケース用開口１４の横方向一側（左側）の側縁部１４ｂは、電池ケース８が収納位置に存する状態で蓋部８１の横方向一側部（左側部）８１ｂにより前方から覆われるように形成され、更に、電池ケース用開口１４の横方向他側（右側）の側縁部１４ｃは、電池ケース８が収納位置に存する状態で蓋部８１の横方向他側（右側）の側縁部８１ｃに横方向から接するように形成されている。
【００１３】
また、電池ケース８の底壁の前部には、前端を自由端とする上下方向の弾性を持つ操作片８２が設けられている。この操作片８２の下面には、電池ケース８が収納位置に存する状態で電池ケース用開口１４の下縁部１４ｄに形成した後ろ向きの係止部１４ｅに当該下縁部１４ｄを乗り越えて係合して、電池ケース８を収納位置に係止する爪部８２ａが形成されている。そして、操作片８２の前端を押し上げて爪部８２ａを係止部１４ｅから離脱させることにより電池ケース８の収納位置での係止が解除され、電池ケース８が前方に引き出されるようにしている。尚、電池ケース８の後端には、電池ケース８が所定の引き出し位置に移動したところで支持枠１３の後端に係合してそれ以上電池ケース８が引き出されることを阻止するストッパ８３が設けられている。
【００１４】
ところで、体裁を良くするには、支持枠１３に対し電池ケース８が摺動クリアランス分のガタを生じても、電池ケース８が収納位置に存する状態で、電池ケース８の蓋部８１の上縁部８１ａと蓋部８１の横方向他側の側縁部８１ｃとを夫々電池ケース用開口１４の上縁部１４ａと電池ケース用開口１４の横方向他側の側縁部１４ｃとに隙間なく密着させることができるようにすることが望まれる。
【００１５】
そこで、本実施形態では、操作片８２の下面に、爪部８２ａの前側に隣接して、電池ケース８が収納位置に存する状態で電池ケース用開口１４の下縁部１４ｄに弾力的に当接する当て座８２ｂを形成している。そして、電池ケース用開口部１４の下縁部１４ｄへの当て座８２ｂの当接反力で蓋部８１の上縁部８１ａが電池ケース用開口部１４の上縁部１４ａに押し付けられるようにしている。
【００１６】
また、電池ケース１４の横方向一側の側壁部の前部に、Ｕ字状の切欠きで囲われた横方向の弾性を持つ弾性片８４を設けている。そして、電池ケース８が収納位置に存する状態で弾性片８４が支持枠１３の横方向一側の側壁の前部に弾力的に当接し、その当接反力で蓋部８１の横方向他側の側縁部８１ｃが電池ケース用開口１４の横方向他側の側縁部１４ｃに押し付けられるようにしている。より具体的に説明すれば、弾性片８４の外側面に横方向外方への盛上り部８４ａを形成すると共に、支持枠１３の横方向一側の側壁の前部に横方向内方に突出する突条１３ａを形成し、電池ケース８が収納位置に存する状態で弾性片８４が盛上り部８４ａにおいて突条１３ａに弾力的に当接するようにしている。
【００１７】
以上の構成によれば、当て座８２ｂが電池ケース用開口部１４の下縁部１４ｄに当接することにより発生する当接反力で蓋部８１の上縁部８１ａが電池ケース用開口部１４の上縁部１４ａに押し付けられるため、蓋部８１の上縁部８１ａを電池ケース用開口１４の上縁部１４ａに隙間なく密着させて、体裁を良好にすることができる。更に、当て座８２ｂは電池ケース８を収納位置に係止するための操作片８２に形成されるため、当て座８２ｂを形成するための弾性片を電池ケース８の底壁に別途設ける必要がなく、合理的である。
【００１８】
また、弾性片８４が支持枠１３の横方向一側の側壁に当接することにより発生する当接反力で蓋部８１の横方向他側の側縁部８１ｃが電池ケース用開口１４の横方向他側の側縁部１４ｃに押し付けられるため、蓋部８１の横方向他側の側縁部８１ｃを電池ケース用開口１４の横方向他側の側縁部１４ｃに密着させて、体裁を一層良好にすることができる。
【００１９】
以上、本発明の実施形態について図面を参照して説明したが、本発明はこれに限定されるものではない。例えば、電池ケース用開口１４を前面パネル１１の横方向一側の隅部よりも横方向内方にずれた位置に開設し、電池ケース８が収納位置に存する状態で電池ケース用開口１４の横方向一側の側縁部と他側の側縁部とが夫々電池ケース８の蓋部８の横方向一側の側縁部と他側の側縁部とに横方向から接するようにしてもよい。この場合は、蓋部８が電池ケース用開口１４の横方向両側の側縁部により両側から挟まれるため、上記実施形態の如き弾性片８４は不要である。
【符号の説明】
【００２０】
１…コンロ本体、１１…前面パネル、１３…支持枠、１４…電池ケース用開口、１４ａ…電池ケース用開口の上縁部、１４ｂ…電池ケース用開口の横方向一側の側縁部、１４ｃ…電池ケース用開口の横方向他側の側縁部、１４ｄ…電池ケース用開口の下縁部、１４ｅ…係止部、８…電池ケース、８１…蓋部、８１ａ…蓋部の上縁部、８１ｂ…蓋部の横方向一側部、８１ｃ…蓋部の横方向他側の側縁部、８２…操作片、８２ａ…爪部、８２ｂ…当て座、８４…弾性片。
【図１】
2016200367.tif 000003
【図２】
2016200367.tif 000004
【図３】
2016200367.tif 000005
【図４】
2016200367.tif 000006